(57)【特許請求の範囲】
【請求項１】
開放面を有する筐体と、
該筐体に収容され、回動軸線を囲むように配置された第１の外装面と第２の外装面とを有するパネルユニットと、
予め設定されたセット位置にあって前記第１の外装面及び第２の外装面のうちの一方の外装面が前記開放面に露出する前記パネルユニットを前記セット位置より前記筐体奥方に設定された回動位置に後退させ、該回動位置にて前記パネルユニットを前記回動軸線を中心に前記第１の外装面及び前記第２の外装面のうちの他方の外装面が前記開放面に対向するように回動させ、当該他方の外装面が前記開放面に露出するように前記パネルユニットを前記セット位置に進出させる駆動機構とを有することを特徴とする回動パネル装置。
【請求項２】
前記第１の外装面と前記第２の外装面とは、Ｌ字状に形成されたことを特徴とする請求項１記載の回動パネル装置。
【請求項３】
前記パネルユニットは、前記回動軸線上に延びる軸部材と、該回動軸線に平行に延びる少なくとも２つのパネル支持ピンとを有し、
前記駆動機構は、前記筐体と一体となる固定ガイド板と、
レバー部材と、
回動自在となる可動ガイド板と、
該可動ガイド板を回動させる駆動源とを有し、
前記固定ガイド板は、前記パネル支持ピンのそれぞれに対応して形成され、その対応するパネル支持ピンが摺動自在に嵌り込むガイド溝と、同一円周上に配置され、前記回動軸線に平行に延びる少なくとも２つの可動ガイド板用支持ピンとを有し、
前記レバー部材は、その一端部から前記回動軸線に平行に突出するレバー支持ピンを有すると共にその他端部にて前記パネルユニットの前記軸部材が回動自在に連結され、
前記可動ガイド板は、前記レバー支持ピンが摺動自在に嵌り込むレバー用ガイド溝と、前記パネル支持ピンのそれぞれに対応して形成され、その対応するパネル支持ピンが摺動自在に嵌り込むパネル用ガイド溝と、前記固定ガイド板の前記少なくとも２つの可動ガイド板用支持ピンのそれぞれに対応し、その対応する可動ガイド板用支持ピンが摺動自在に嵌り込む回動ガイド溝とを有し、
前記回動ガイド溝が前記可動ガイド板用支持ピンにガイドされつつ前記可動ガイド板が回動する際に前記レバー用ガイド溝が前記レバー支持ピンをガイドするとともに前記パネル用ガイド溝が対応するパネル支持ピンをガイドすることにより、前記後退動、前記回動及び前記進出動の各動作を前記パネルユニットにさせるようにしたことを特徴とする請求項１または２記載の回動パネル装置。
【請求項４】
前記固定ガイド板の前記ガイド溝は、前記パネルユニットの前記セット位置から前記回動位置への後退動に応じて前記対応するパネル支持ピンをガイドする後退ガイド溝部と、
前記パネルユニットの前記回動位置での回動に応じて前記対応するパネル支持ピンをガイドする回動ガイド溝部と、
前記パネルユニットの前記回動位置から前記セット位置への進出動に応じて前記対応するパネル支持ピンをガイドする進出ガイド溝部とを有することを特徴とする請求項３記載の回動パネル装置。
【請求項５】
前記可動ガイド板の前記レバー用ガイド溝は、前記可動ガイド板の回動によって前記レバー部材に連結された前記パネルユニットが前記セット位置から前記回動位置に後退動するように前記レバー支持ピンをガイドする後退カム溝部と、
前記回動位置での前記パネルユニットの回動する際の前記可動ガイド板の回動に応じて前記レバー支持ピンをガイドする回動ガイド溝部と、
前記可動ガイド板の回動によって前記レバー部材に連結された前記パネルユニットが前記回動位置から前記セット位置に進出するように前記レバー支持ピンをガイドする進出カム溝部とを有し、
前記可動ガイド板の前記パネル用ガイド溝は、回動する当該可動ガイド板に対する前記セット位置から前記回動位置に後退動する前記パネルユニットの前記対応するパネル支持ピンの相対動に応じて当該対応する支持ピンをガイドする後退ガイド溝部と、
前記回動位置にある前記パネルユニットに前記可動ガイド板の回動が伝達するように前記対応するパネル支持ピンを止める係止部と、
回動する前記可動ガイド板に対する前記回動位置から前記セット位置に進出する前記パネルユニットの対応するパネル支持ピンの相対動に応じて当該対応するパネル支持ピンをガイドする進出ガイド溝部とを有することを特徴とする請求項３または４記載の回動パネル装置。
【請求項６】
前記固定ガイド板は、前記筐体の側面板に形成されたことを特徴とする請求項３乃至４のいずれかに記載の回動パネル装置。
【請求項７】
前記固定ガイド板は、前記回動軸線に平行に突出する固定支持ピンを有し、
前記レバー部材は、前記固定支持ピンが摺動自在に嵌り込み、前記パネルユニットの前記後退動及び進出動に伴う当該レバー部材の移動に応じて前記固定支持ピンをガイドするガイド溝を有することを特徴とする請求項３乃至６のいずれかに記載の回動パネル装置。
【発明の詳細な説明】
【技術分野】
【０００１】
本発明は、２つの外装面を有するパネルユニットを回動させて、筐体の開放面に露出するパネルユニットの外装面を切換えるようにした回動パネル装置に関する。
【背景技術】
【０００２】
従来、２つの外装面を有するパネルユニットを回動させて、筐体（本体シャーシ）の開放面から前記２つの外装面を交互に切り換えて露出させるようにした回動パネル装置が提案されている（例えば、特許文献１参照）。この回動パネル装置は、例えば、車載用のオーディオ装置やナビゲーション装置に適用される。
【０００３】
この従来の回動パネル装置では、表裏が表示部（ＬＣＤ）や操作釦等が配置された表示面と前記表示部や操作釦等が配置されていない化粧面（カモフラージュ面）となるパネルユニットの回動軸に装着されたギア列が楕円形のギア（楕円ギア）に噛合し、その楕円ギアがモータ等の駆動源にて回動させられるようになっている。楕円ギアが回動して当該楕円ギアの前記ギア列との噛合い部分がその短径部分から長径部分に移行する際に、前記パネルユニットが回動しつつ筐体の前方に押出される。そして、更に、楕円ギアが回動して当該楕円ギアの前記ギア列との噛合い部分がその長径部分から短径部分に移行する際に、前記パネルユニットが回動しつつ前記筐体の開放面に戻される。このようにパネルユニットが筐体から押出されて戻ってくるまでの間にパネルユニットが１８０°回転し、それにより、筐体から露出するパネルユニットの外装面が表示面及び化粧面のいずれかに切換えられる。
【０００４】
このような回動パネル装置が、例えば、車両のインストルメントパネル内に筐体の開放面を外方に向けて設置されると、インストルメントパネルから露出するパネルユニットの外装面を表示面及び化粧面のいずれかに切換えることができる。そして、表示面が露出した状態では、その表示面に映像等を表示させることができる一方、化粧面を露出させてパネルユニットの表示面を隠すことができる。
【特許文献１】特開２００１−２６６５５６号公報
【発明の開示】
【発明が解決しようとする課題】
【０００５】
しかしながら、前述した構造の回動パネル装置では、パネルユニットが回動しつつ筐体の前方に押出されることから、当該回動パネル装置が車両のインストルメントパネル等の外部パネル内に設置された場合、回動するパネルユニットの縁と外部パネルとの干渉を避けるために、露出するパネルユニットの外装面の縁と外部パネルとの間にある程度の隙間を形成する必要がある。このため、見栄えが悪く、また、その隙間からの異物の進入を防止するための対策を充分にとらなければならない。更に、パネルユニットの全体が前記外部パネルの前方に押出されるようになるので、外部パネルの前方空間の利用が制限されてしまう。
【０００６】
本発明は、前述した従来の問題を解決するためになされたもので、外部パネル内に設置した場合に、露出するパネルユニットの外装面の縁と前記外部パネルとの隙間を極力小さくすることができると共にその外部パネルの前方空間の利用を制限することのない回動パネル装置を提供するものである。
【課題を解決するための手段】
【０００７】
本発明に係る回動パネル装置は、開放面を有する筐体と、該筐体に収容され、回動軸線を囲むように配置された第１の外装面と第２の外装面とを有するパネルユニットと、予め設定されたセット位置にあって前記第１の外装面及び第２の外装面のうちの一方の外装面が前記開放面に露出する前記パネルユニットを前記セット位置より前記筐体奥方に設定された回動位置に後退させ、該回動位置にて前記パネルユニットを前記回動軸線を中心に前記第１の外装面及び前記第２の外装面のうちの他方の外装面が前記開放面に対向するように回動させ、当該他方の外装面が前記開放面に露出するように前記パネルユニットを前記セット位置に進出させる駆動機構とを有する構成となる。
【０００８】
このような構成により、第１の外装面及び第２の外装面のうちの一方の外装面が筐体の開放面に露出した状態でセット位置にあるパネルユニットが筐体奥方に設定された回動位置に後退し、前記第１の外装面及び第２の外装面のうちの他方の外装面が前記開放面に対向するように前記パネルユニットが回動し、更に、当該他方の外装面が前記開放面に露出するように前記パネルユニットが進出する。このようにして、筐体の開放面に露出する外装面が第１の外装面及び第２の外装面のうちの一方の外装面から他方の外装面に切換えられる。このようにパネルユユニットのセット位置と回動位置との間での進退動と、前記回動位置での回動とが別途の動作としてなされ、また、パネルユニットの回動が筐体の開放面前方にてなされることがない。
【０００９】
また、本発明に係る回動パネル装置において、前記第１の外装面と前記第２の外装面とは、Ｌ字状に形成された構成とすることができる。
【００１０】
このような構成により、パネルユニットの回動範囲を略９０°の範囲とすることができる。
【００１１】
また、本発明に係る回動パネル装置において、前記パネルユニットは、前記回動軸線上に延びる軸部材と、該回動軸線に平行に延びる少なくとも２つのパネル支持ピンとを有し、前記駆動機構は、前記筐体と一体となる固定ガイド板と、レバー部材と、回動自在となる可動ガイド板と、該可動ガイド板を回動させる駆動源とを有し、前記固定ガイド板は、前記パネル支持ピンのそれぞれに対応して形成され、その対応するパネル支持ピンが摺動自在に嵌り込むガイド溝と、同一円周上に配置され、前記回転軸に平行に延びる少なくとも２つの可動ガイド板用支持ピンと有し、前記レバー部材は、その一端部から前記回動軸線に平行に突出するレバー支持ピンを有すると共にその他端部にて前記パネルユニットの前記軸部材が回動自在に連結され、前記可動ガイド板は、前記レバー支持ピンが摺動自在に嵌り込むレバー用ガイド溝と、前記パネル支持ピンのそれぞれに対応して形成され、その対応するパネル支持ピンが摺動自在に嵌り込むパネル用ガイド溝と、前記固定ガイド板の前記少なくとも２つの可動ガイド板用支持ピンのそれぞれに対応し、その対応する可動ガイド板用支持ピンが摺動自在に嵌り込む回動ガイド溝とを有し、前記回動ガイド溝が前記可動ガイド板用支持ピンにガイドされつつ前記可動ガイド板が回動する際に前記レバー用ガイド溝が前記レバー支持ピンをガイドするとともに前記パネル用ガイド溝が対応するパネル支持ピンをガイドすることにより、前記後退動、前記回動及び前記進出動の各動作を前記パネルユニットにさせるようにした構成とすることができる。
【００１２】
このような構成により、固定ガイド板のガイド溝にそれぞれガイドされるパネル支持ピンによって支持された状態のパネルユニットが、パネル用ガイド溝にて対応するパネル支持ピンをガイドすると共にパネルユニットの軸部材に連結したレバー部材のレバー支持ピンをレバー用ガイド溝にてガイドする可動ガイド板を回動させることにより、セット位置から回動位置に後退動作せられ、その回動位置にて回動させられ、更に、回動位置からセット位置に進出動させられる。
【００１３】
更に、本発明に係る回動パネル装置において、前記固定ガイド板の前記ガイド溝は、前記パネルユニットの前記セット位置から前記回動位置への後退動に応じて前記対応するパネル支持ピンをガイドする後退ガイド溝部と、前記パネルユニットの前記回動位置での回動に応じて前記対応するパネル支持ピンをガイドする回動ガイド溝部と、前記パネルユニットの前記回動位置から前記セット位置への進出動に応じて前記対応するパネル支持ピンをガイドする進出ガイド溝部とを有する構成とすることができる。
【００１４】
このような構成により、パネルユニットの後退動、回転動、及び進出動の各動作に応じてパネルユニットの各パネル支持ピンが固定ガイド板のガイド溝にてガイドされ得るようになる。
【００１５】
また、更に、本発明に係る回動パネル装置において、前記可動ガイド板の前記レバー用ガイド溝は、前記可動ガイド板の回動によって前記レバー部材に連結された前記パネルユニットが前記セット位置から前記回動位置に後退動するように前記レバー支持ピンをガイドする後退カム溝部と、前記回動位置での前記パネルユニットの回動する際の前記可動ガイド板の回動に応じて前記レバー支持ピンをガイドする回動ガイド溝部と、前記可動ガイド板の回動によって前記レバー部材に連結された前記パネルユニットが前記回動位置から前記セット位置に進出するように前記レバー支持ピンをガイドする進出カム溝部とを有し、前記可動ガイド板の前記パネル用ガイド溝は、回動する当該可動ガイド板に対する前記セット位置から前記回動位置に後退動する前記パネルユニットの前記対応するパネル支持ピンの相対動に応じて当該対応する支持ピンをガイドする後退ガイド溝部と、前記回動位置にある前記パネルユニットに前記可動ガイド板の回動が伝達するように前記対応するパネル支持ピンを止める係止部と、回動する前記可動ガイド板に対する前記回動位置から前記セット位置に進出する前記パネルユニットの対応するパネル支持ピンの相対動に応じて当該対応するパネル支持ピンをガイドする進出ガイド溝部とを有する構成とすることができる。
【００１６】
このような構成により、回動する可動ガイド板のレバー用ガイド溝における後退カム溝部によってレバー支持ピンがガイドされ、それに伴うレバー部材の移動によって該レバー部材に軸部材が連結するパネルユニットがセット位置から回動位置に後退動する。その際、後退動するパネルユニットと共に移動する各パネル支持ピンの回動する可動ガイド板に対する相対動に応じて当該パネル支持ピンが可動ガイド板のパネル用ガイド溝における後退ガイド溝部によってガイドされる。次いで、パネル支持ピンが回動する可動ガイド板のパネル用ガイド溝における係止部に達すると、パネル支持ピンが前記係止部にて止められ、可動ガイド板の回動がパネル支持ピンを介してパネルユニットに伝達し、当該パネルユニットが回動する。その際、レバー部材のレバー支持ピンが可動ガイド板の回動に応じてレバー用ガイド溝における回動ガイド溝部によってガイドされる。更に、回動する可動ガイド板のレバー用ガイド溝における進出カム溝部によってレバー支持ピンがガイドされ、それに伴うレバー部材の移動によって該レバー部材に軸部材が連結するパネルユニットが回動位置からセット位置に進出動する。その際、進出動するパネルユニットと共に移動する各パネル支持ピンの回動する可動ガイド板に対する相対動に応じて当該パネル支持ピンが可動ガイド板のパネル用ガイド溝における進出ガイド溝部によってガイドされる。これにより、パネルユニットのセット位置から回動位置への後退動、回動位置での回動及び回動位置からセット位置への進出の各動作がなされ得るようになる。
【００１７】
また、本発明に係る回動パネル装置において、前記固定ガイド板は、前記筐体の側面板に形成された構成とすることができる。
【００１８】
このような構成により、筐体の側面板が固定ガイド板として機能するようになるので、固定ガイド板を別途設ける必要がなくなる。
【００１９】
更に、本発明に係る回動パネル装置において、前記固定ガイド板は、前記回動軸線に平行に突出する固定支持ピンを有し、前記レバー部材は、前記固定支持ピンが摺動自在に嵌り込み、前記パネルユニットの前記後退動及び進出動に伴う当該レバー部材の移動に応じて前記固定支持ピンをガイドするガイド溝を有する構成とすることができる。
【００２０】
このような構成により、固定ガイド板から突出する固定支持ピンによってパネルユニットの後退動及び進出動に伴って移動するレバー部材が確実に支持され得るようになる。
【発明の効果】
【００２１】
本発明に係る回動パネル装置によれば、パネルユニットの回動が筐体の開放面前方にてなされることがなく、また、パネルユニットのセット位置と回動位置との間での進退動と、前記回動位置での回動とが別途の動作としてなされるようになるので、当該回動パネル装置を外部パネル内に設置した場合であっても、パネルユニットの外装面と前記外部パネルとの間の隙間をパネルユニットの回動を考慮せずに極力小さく設定することができ、また、外部パネルの前方空間の利用を制限することもない。
【発明を実施するための最良の形態】
【００２２】
以下、本発明の実施の形態について、図面を用いて説明する。
【００２３】
本発明の実施の一形態に係る回動パネル装置は、例えば、車載用のオーディオ装置に適用される。図１乃至図３に示すように、回動パネル装置１００は、車両のインストルメントパネル２００の所定部位内に設置され、表示パネル１１（例えば、ＬＣＤパネル）と閉鎖パネル１２とがＬ字状に結合された構造となるパネルユニット１０を有する。このように表示パネル１１と閉鎖パネル１２とがＬ字状に結合されることから、表示パネル１１の表示面（外装面）と閉鎖パネル１２の表面（外装面）とがＬ字状に形成されることとなる。パネルユニット１０は、後述するように、インストルメントパネル２００内に設置された筐体内において回転自在となっている。そして、例えば、オーディオ装置の非使用時に図１に示すように閉鎖パネル１２の表面がインストルメントパネル２００から露出する状態にあるパネルユニット１０が、当該オーディオ装置の使用に際して図２に示すように回動させられ、更に、図３に示すように、表示パネル１１の表示面がインストルメントパネル２００から露出する状態に切換えられる。
【００２４】
このように、オーディオ装置の非使用時において、閉鎖パネル１２の表面がインストルメントパネル２００から露出するようになるので、表示パネル１１（表示面）をインストルメントパネル２００内に隠すことができる。また、閉鎖パネル１２の表面をインストルメントパネル２００の表面と同様にデザイン処理することにより、インストルメントパネル２００の統一的なデザインが可能となり、より上質感を醸し出すことができるようになる。一方、オーディオ装置の使用に際しては、パネルユニット１０を回動させることにより、閉鎖パネル１２に代えて表示パネル１１の表示面がインストルメントパネル２００から露出するようになるので、該オーディオ装置の動作に基づいた映像等を表示パネル１１の表示面に表示させて乗員に提供することができる。
【００２５】
次に、前述したように車両のインストルメントパネル２００内に設置される回動パネル装置１００について更に詳細に説明する。
【００２６】
回動パネル装置１００は、図４乃至図６に示すように構成される。なお、図４は、回動パネル装置１００を前方から見た斜視図であり、図５は、回動パネル装置１００を後方から見た斜視図であり、また、図６は、回動パネル装置１００の内部を示す斜視図である。
【００２７】
図４乃至図６において、回動パネル装置１００は、筐体１１０と、筐体１１０内に収容されたパネルユニット１０とを備えている。筐体１１０は、底板１１１と、底板１１１の両側それぞれから立設する側面板２０と、両側面板２０にその上端縁及び後端縁に接合するように被せられたカバー１１２とを備えている。そして、筐体１１０の前面が開放面１１３となっている（図４参照）。各側面板２０の後端縁の所定部位には軸受け部２５が形成されており（図６参照）、両軸受け部２５がシャフト１２４を回動自在に支持している。シャフト１２４の略中央部にはギア１２３が装着されると共に、その両端それぞれにギア１２５が装着されている。筐体１１０内における両側面板２０間に駆動源となるモータや該モータへの電気配線等を収容した収納ボックス１３０が設けられている（図６参照）。収納ボックス１３０内のモータの回転動は伝達機構１２０（ギア列等で構成される）を介してギア１２３に噛合するギア１２１に伝達するようになっている。これにより、モータの正転動及び反転動に応じてギア１２３の装着されたシャフト１２４が正転動及び反転動するようになっている。
【００２８】
パネルユニット１０は、回動軸線ＡＬ（図６参照）を囲むように表示パネル１１（例えば、ＬＣＤパネル）と閉鎖パネル１２とがＬ字状に結合した構造となり、その両側部のそれぞれには表示パネル１１及び閉鎖パネル１２に一体となるブラケット板１３が設けられている（なお、図６には、片方のブラケット板１３だけが示されている）。そして、パネルユニット１０は、後述するように後退動及び前進動が可能となると共に前記回動軸線ＡＬを中心に回動自在となるように筐体１１０内に収容されている。
【００２９】
筐体１１０の各側面板２０の外方に筐体１１０の前後方向に移動可能となる移動レバー４０（レバー部材）が配置され、移動レバー４０の更に外方に回動自在となる可動ガイド板３０が配置されている。可動ガイド板３０の所定外縁部には弧状ギア３４が形成され、弧状ギア３４が前述したシャフト１２４の端部に装着されたギア１２５と噛合っている。これにより、前記モータ（駆動源）の回転が伝達機構１２０、ギア１２１、ギア１２３及びギア１２５を介して弧状ギア３４に伝達され、可動ガイド板３０が回動する。可動ガイド板３０の中央部に所定径の中央穴３５が形成され、中央穴３５の周りの所定円周上に可動ガイド板３０の回動範囲に相当する長さとなる２つの弧状の回動ガイド溝３６及び３７が対向するように形成されている。これら回動ガイド溝３６、３７のそれぞれには後述するように側面板２０から突出する可動ガイド板用支持ピン２６、２７が嵌り込んでおり、各回動ガイド溝３６、３７が対応する可動ガイド板用支持ピン２６、２７にてガイドされつつ可動ガイド板３０が回動するようになっている。更に、可動ガイド板３０には、その外周部にパネル用第１ガイド溝３１及びパネル用第２ガイド溝３２が形成されると共にそれらの内側にレバー用ガイド溝３３が形成されている。また、移動レバー４０には、後述するようにパネルユニット１０のブラケット板１３から前記回動軸線ＡＬ上に延びる軸部材１４が回動自在に連結している。
【００３０】
パネルユニット１０の支持構造について更に詳細に説明する。
【００３１】
図７（ｂ）に示すように、パネルユニット１０のブラケット板１３の略中央部から前記回動軸線ＡＬ上に延びるように軸部材１４が突出し、ブラケット板１３の所定位置から前記回動軸線ＡＬに平行となるように第１パネル支持ピン１５が突出し、更に、表示パネル１１の側面から前記回動軸線ＡＬに平行となるように第２パネル支持ピン１６が突出している。これら軸部材１４、第１パネル支持ピン１５及び第２パネル支持ピン１６は直線上に配置されるようにその位置設定がなされている。
【００３２】
筐体１１０の各側面板２０の外周部には、図７（ａ）に示すように、パネルユニット１０の第１パネル支持ピン１５が摺動自在に嵌り込む第１ガイド溝２１と、第２パネル支持ピン１６が摺動自在に嵌り込む第２ガイド溝２２とが対向するように形成されている。また、各側面板２０の略中央部には、長孔状のガイド溝２３が形成されると共にそのガイド溝２３に並んで固定支持ピン２４が前記回動軸線ＡＬに平行となるように突出している。第１ガイド溝２１は、後述するように第１パネル支持ピン１５をガイドする後退ガイド溝２１ａ、回動ガイド溝２１ｂ及び進出ガイド溝２１ｃにて構成され、第２ガイド溝２２もまた、後述するように第２パネル支持ピン１５をガイドする後退ガイド溝２２ａ、回動ガイド溝２２ｂ及び進出ガイド溝２２ｃにて構成されている。また、側面板２０には、ガイド溝２３を囲み、前述した回動ガイド溝３６、３７の形成される円に対応した円（破線参照）の周上所定位置から前記回動軸線ＡＬに平行となるように可動ガイド板用支持ピン２６、２７が突出している。なお、このように第１ガイド溝２１及び第２ガイド溝２２が形成された各側面板２０を、以下、適宜固定ガイド板２０という。
【００３３】
また、図７（ｄ）に示すように、移動レバー４０の一端部からレバー支持ピン４３が前記回動軸線ＡＬに平行となるように突出し、その他端部にはパネルユニット１０の軸部材１４が回動自在に嵌合する軸孔４１が形成されている。パネルユニット１０の軸部材１４が軸孔４１に嵌合することにより、軸部材１４が移動レバー４０に回動自在に連結されたものとなる。また、移動レバー４０における軸孔４１とレバー支持ピン４３との間には、長孔状のガイド溝４２が形成されている。
【００３４】
更に、可動ガイド板３０の外周部に形成されたパネル用第１ガイド溝３１は、図７（ｃ）に示すように、後退ガイド溝部３１ａ、進出ガイド溝部３１ｂ及びそれらの溝部の境界部に形成された係止部３１ｃとから構成され、パネル用第２ガイド溝３２もまた、後退ガイド溝部３２ａ、進出ガイド溝部３２ｂ及びそれらの溝部の境界部に形成された係止部３２ｃとから構成されている。パネル用第１ガイド溝３１にはパネルユニット１０から突出する第１パネル支持ピン１５が摺動自在に嵌り込み、パネル用第２ガイド溝３１には第２パネル支持ピン１６が摺動自在に嵌り込む。レバー用ガイド溝３３は、弧状の回動ガイド溝部３３ｂ、その両側につながる後退カム溝部３３ａ及び進出カム溝部３３ｃにて構成されている。レバー用ガイド溝３３にはレバー４１から突出するレバー支持ピン４３が嵌り込む。可動ガイド板３０の中央穴３５の周りには前述したように固定ガイド板２０から突出する可動ガイド板用支持ピン２６、２７が嵌り込む回動ガイド溝３６、３７が形成されている。
【００３５】
前述したようなパネルユニット１０、固定ガイド板（側面板）２０、可動ガイド板３０及び移動レバー４０の相対的な位置関係について、図８乃至図１１を参照して説明する。なお、図８は、パネルユニット１０、固定ガイド板２０、回動ガイド板３０及び移動レバー４０を回動パネル装置１００の側方からみた側面図であり、パネルユニット１０の外形が一転鎖線で、固定ガイド板２０の外形及びそれに形成された第１ガイド溝２１、第２ガイド溝２２及びガイド溝２３が破線で、可動ガイド板３０の外形及びそれに形成されたパネル用第１ガイド溝３１、パネル用第２ガイド溝３２及びレバー用ガイド溝３３が実線で、移動レバー４０がハッチング付き実線領域でそれぞれ示されている。また、図９は、図８における第１パネル支持ピン１５、軸部材１４及び第２パネル支持ピン１６を結ぶ直線Ｌ１での断面図であり、図１０は、図８における移動レバー４０に沿った直線Ｌ２での断面図であり、図１１は、図８における可動ガイド板用支持ピン２６、２７を結ぶ直線Ｌ３での断面図である。
【００３６】
パネルユニット１０から突出する軸部材１４は、固定ガイド板２０のガイド溝２３（長孔状）を通って移動レバー４０の軸孔４１に回動自在に嵌合し、可動ガイド板３０の中央穴３５に至っている。パネルユニット１０から突出する第１パネル支持ピン１５は、固定ガイド板２０の第１ガイド溝２１に嵌り込み、更に、可動ガイド板３０のパネル用第１ガイド溝３１に嵌り込んでいる。また、パネルユニット１０から突出する第１パネル支持ピン１６は、固定ガイド板２０の第２ガイド溝２２に嵌り込み、更に、可動ガイド板３０のパネル用第２ガイド溝３２に嵌り込んでいる。即ち、固定ガイド板（側面板）２０の第１ガイド溝２１及び第２ガイド溝２２に嵌り込む第１パネル支持ピン１５及び第２パネル支持ピン１６によってパネルユニット１０が支持され、そして、第１パネル支持ピン１５及び第２パネル支持ピン１６の先端部分が可動ガイド板３０のパネル用第１ガイド溝３１及びパネル用第２ガイド溝３２によってガイドされるようになっている。
【００３７】
移動レバー４０の先端部から突出するレバー支持ピン４３は、可動ガイド板３０のレバー用ガイド溝３３に嵌り込み、そのレバー用ガイド溝３３によってガイドされるようになっている。固定ガイド板（側面板）２０から突出する固定支持ピン２４は、移動レバー４０のガイド溝４２（長孔状）に嵌り込んで、そのガイド溝４２によってガイドされるようになっている（図１０参照）。固定ガイド板２０から突出する可動ガイド板用支持ピン２６及び２７は、可動ガイド板３０の回動ガイド溝３６及び３７に嵌り込み、可動ガイド板３０が２つの可動ガイド板用支持ピン２６、２７に支持されつつ回動するようになっている（図１１参照）。また、各可動ガイド用支持ピン２６、２７の頭部にはフランジが形成され、可動ガイド板３０が固定ガイド板２０から脱落しないようになっている。
【００３８】
前述したような構造となる回動パネル装置１００は、筐体１１０の開放面１１３をインストルメントパネル２００に形成された開放面２１０（図８参照）に対向させてインストルメントパネル２００内に設置される。このようにインストルメントパネル２００内に設置された回動パネル装置１００の動作について図１２乃至図２７を参照して説明する。なお、図１２乃至図２０では、図面を見易くするために、固定ガイド板（側面板）２０の外形線が省略されると共に、可動ガイド板３０に形成された回動ガイド溝３６、３７及びそれに嵌り込む固定ガイド板２０から突出する可動ガイド板用支持ピン２６、２７が省略されている。
【００３９】
例えば、パネルユニット１０がセット位置にあって閉鎖パネル１２の表面（外装面）が図２１に示すように筐体１１０の開放面１１３に露出している状態では、閉鎖パネル１２の表面がインストルメントパネル２００の開放面２１０から露出している（図１参照）。この場合、図１２（ａ）に示すように、パネルユニット１０の第１パネル支持ピン１５が固定ガイド板２０の第１ガイド溝２１における後退ガイド溝部２１ａの端部に位置すると共に可動ガイド板３０のパネル用第１ガイド溝３１における後退ガイド溝部３１ａの端部に位置する。また、パネルユニット１０の第２パネル支持ピン１６が固定ガイド板２０の第２ガイド溝２２における後退ガイド溝部２２ａの端部に位置すると共に可動ガイド板３０のパネル用第２ガイド溝３２における後退ガイド溝部３２ａの端部に位置する。そして、移動レバー４０のレバー支持ピン４３が可動ガイド板３０のレバー用ガイド溝３３における後退カム溝部３３ａの端部に位置する。
【００４０】
このような状態で、例えば、オーディオ装置を使用するために、所定の操作キーの操作がなされると、モータ（駆動源）が起動される。そして、該モータの回転によって可動ガイド板３０が所定の方向Ａ（図１２（ｂ）等参照）に回動すると、可動ガイド板３０のレバー用ガイド溝３３における後退カム溝部３３ａによってレバー支持ピン４３がガイドされ、それに伴って移動レバー４０が、ガイド溝４２内の固定支持ピン２４によってガイドされつつ、図１２（ａ）、（ｂ）、図１３（ａ）、（ｂ）及び図１４（ａ）、（ｂ）に示すように、筐体１００の奥方（各図における左方向）に移動する。この移動レバー４０の奥方への移動によって移動レバー４０に連結する軸部材１４がガイド溝２３にてガイドされつつ同様に奥方に移動し、それに伴ってパネルユニット１０が後退動する。このとき、後退動するパネルユニット１０と共に移動する第１パネル支持ピン１５が、その後退動に応じて固定ガイド板２０の第１ガイド溝２１における後退ガイド溝部２１ａによってガイドされると共に回動する可動ガイド板３０に対する相対動に応じてパネル用第１ガイド溝３１の後退ガイド溝部３１ａによってガイドされる。また、パネルユニット１０の第２パネル支持ピン１６が、同様に、その後退動に応じて固定ガイド板２０の第２ガイド溝２２における後退ガイド溝部２２ａによってガイドされると共に回動する可動ガイド板３０に対する相対動に応じてパネル用第２ガイド溝３２の後退ガイド溝部３２ａによってガイドされる。このようにしてパネルユニット１０が後退動する結果、閉鎖パネル１２の表面がインストルメントパネル２００の開口面２１０の周縁部から離れていく。そして、パネルユニット１０は、筐体１１０内において、図２２に示すように、所定の回動位置に達する。
【００４１】
パネルユニット１０が後退動して回動位置に達すると、図１４（ｂ）に示すように、移動レバー４０のレバー支持ピン４３が可動ガイド板３０のレバー用ガイド溝３３における後退カム溝部３３ａと回動ガイド溝部３３ｂとの境界部に達する。それと同時に、パネルユニット１０の第１パネル支持ピン１５が、固定ガイド板２０の第１ガイド溝２１における後退ガイド溝部２１ａと回動ガイド溝部２１ｂとの境界部に達すると共に可動ガイド板３０のパネル用第１ガイド溝３１の係止部３１ｃに達する。また、同時に、パネルユニット１０の第２パネル支持ピン１５が、固定ガイド板２０の第２ガイド溝２２における後退ガイド溝部２２ａと回動ガイド溝部２２ｂとの境界部に達すると共に可動ガイド板３０のパネル用第２ガイド溝３２の係止部３２ｃに達する。
【００４２】
この状態から、更に、可動ガイド板３０が回動すると、可動ガイド板３０のパネル用第１ガイド溝３１の係止部３１ｃにて止められた第１パネル支持ピン１５とパネル用第２ガイド溝３２の係止部３２ｃにて止められた第２パネル支持ピン１６とに対して軸部材１４を中心とした回転トルクが与えられ、図１５（ａ）、（ｂ）、図１６（ａ）、（ｂ）、図１７（ａ）、（ｂ）、図１８（ａ）に示すようにパネルユニット１０が可動ガイド板３０と共に回動する。このとき、移動レバー４０のレバー支持ピン４３が可動ガイド板３０の回動に応じてその可動ガイド板３０のレバー用ガイド溝３３における回動ガイド溝部３３ｂによってガイドされる。また、可動ガイド板３０のパネル用第１ガイド溝３１の係止部３１ｃにて止められた第１パネル支持ピン１５がその可動ガイド板３０の回動に伴うその移動に応じて固定ガイド板２０の第１ガイド溝２１における回動ガイド溝部２１ｂによってガイドされると共に、可動ガイド板３０のパネル用第２ガイド溝３２の係止部３２ｃにて止められた第２パネル支持ピン１６がその可動ガイド板３０の回動に伴うその移動に応じて固定ガイド板２０の第２ガイド溝２２における回動ガイド溝部２２ｂによってガイドされる。なお、このとき、移動レバー４０はその姿勢を維持する。
【００４３】
これにより、パネルユニット１０は、筐体１１０内において、図２３乃至図２５に示すように回動し、閉鎖パネル１２の表面に代えて表示パネル１１の表示面が次第にインストルメントパネル２００の開口面２１０に現われてくる（図２参照）。そして、パネルユニット１０が略９０°回動し、図１８（ａ）に示すように、表示パネル１１の表示面がインストルメントパネル２００の開口面２１０（筐体１１０の開口面１１３）に対向するようになる。
【００４４】
このようにパネルユニット１０における表示パネル１１の表示面が筐体１１０の開口面１１３に対向する状態になると、図１８（ａ）に示すように、移動レバー４０のレバー支持ピン４３が可動ガイド板３０のレバー用ガイド溝３３における回動ガイド溝部３３ｂと進出カム溝部３３ｃとの境界部に達する。それと同時に、パネルユニット１０の第１パネル支持ピン１５が、固定ガイド板２０の第１ガイド溝２１における回動ガイド溝部２１ｂと進出ガイド溝部２１ｃとの境界部に達すると共に、パネルユニット１０の第２パネル支持ピン１６が、固定ガイド板２０の第２ガイド溝２２における回動ガイド溝部２２ｂと進出ガイド溝部２２ｃとの境界部に達する。
【００４５】
この状態から、更に、可動ガイド板３０が回動すると、可動ガイド板３０のレバー用ガイド溝３３における進出カム溝部３３ｃによってレバー支持ピン４３がガイドされ、それに伴って移動レバー４０が、ガイド溝４２内の固定支持ピン２４にてガイドされつつ、図１８（ｂ）、図１９（ａ）、（ｂ）及び図２０（ａ）、（ｂ）に示すように、筐体１０の前方（各図における右方向）に移動する。この移動レバー４０の前方への移動によって移動レバー４０に連結する軸部材１４がガイド溝２３にてガイドされつつ同様に前方に移動し、それに伴ってパネルユニット１０が進出動する。このとき、進出動するパネルユニット１０と共に移動する第１パネル支持ピン１５が、その進出動に応じて固定ガイド板２０の第１ガイド溝２１における進出ガイド溝部２１ｃによってガイドされると共に、可動ガイド板３０のパネル用第１ガイド溝３１の係止部３１ｃから外れてその回動する可動ガイド板３０に対する相対動に応じてパネル用第１ガイド溝３１の進出ガイド溝部３１ｂによってガイドされる。また、パネルユニット１０の第２パネル支持ピン１６が、同様に、その進出動に応じて固定ガイド板２０の第２ガイド溝２２における進出ガイド溝部２２ｃによってガイドされると共に、可動ガイド板３０のパネル用第２ガイド溝３２の係止部３２ｃから外れてその回動する可動ガイド板３０に対する相対動に応じてパネル用第２ガイド溝３２における進出ガイド溝部３２ｂによってガイドされる。
【００４６】
このようにしてパネルユニット１０は、筐体１１０内において、図２６及び図２７に示すように進出し、セット位置にて表示パネル１１の表示面が開口面１１３に露出する。その結果、表示パネル１１の表示面がインストルメントパネル２００の開口面２１０の周縁部に当接し、図３に示すように、表示パネル１１の表面がインストルメントパネル２００から露出する状態となる。
【００４７】
パネルユニット１０が進出動してセット位置に達すると、図２０（ｂ）に示すように、パネルユニット１０の第１パネル支持ピン１５が固定ガイド板２０の第１ガイド溝２１における進出ガイド溝２１ｃの端部に位置すると共に可動ガイド板３０のパネル用ガイド溝３１における進出ガイド溝３１ｂの端部に位置する。また、パネルユニット１０の第２パネル支持ピン１６が固定ガイド板２０の第２ガイド溝２２における進出ガイド溝部２２ｃの端部に位置すると共に可動ガイド板３０のパネル用ガイド溝３２における進出ガイド溝部３２ｂの端部に位置する。そして、移動レバー４０のレバー支持ピン４３が可動ガイド板３０のレバー用ガイド溝３３における進出カム溝部３３ｃの端部に位置する。このような状態が所定の検出器（図示略）にて検出されると、モータが停止され、表示パネル１１の表面がインストルメントパネル２００から露出する状態が維持される（図３参照）。そして、オーディオ装置の動作に基づいた映像等を表示パネル１１の表示面に表示させて乗員に提供することができるようになる。
【００４８】
この状態でパネルユニット１０を反転させる所定の操作がなされると、モータが逆転し、それに伴って可動ガイド板３０が前述したのと方向と逆方向に回動する。その結果、図２０（ｂ）、（ａ）、図１９（ｂ）、（ａ）、図１８（ｂ）、（ａ）に示すように、セット位置にあって表示パネル１１の表示面がインストルメントパネル２００の開放面２１０（筐体１１０の開放面１１３）に露出する表示パネル１０が回動位置に後退動し、更に、図１７（ｂ）、（ａ）、図１６（ｂ）、（ａ）、図１５（ｂ）、（ａ）、図１４（ｂ）に示すように、前記回動位置にてパネルユニット１０が回動して閉鎖パネル１２の表面がインストルメントパネル２００の開放面２１０（筐体１１０の開放面１１３）に対向するようになる。そして、更に、図１４（ａ）、図１３（ｂ）、（ａ）、図１２（ｂ）、（ａ）に示すように、閉鎖パネル１２の表面がインストルメントパネル２００の開放面２１０（筐体１１０の開放面１１３）に露出するように表示パネル１０が進出する。
【００４９】
このような回動パネル装置１００によれば、パネルユニット１０の回動がインストルメントパネル２００の前方でなされることがないので、インストルメントパネル２００の開放面２１０の周縁部と露出するパネル（表示パネル１１または閉鎖パネル１２）の周縁部とをラップさせることができ（図１２（ａ）、図２０（ｂ）参照）、該パネルの周縁部とインストルメントパネル２００との間の隙間をなくすことができ、より上質感のある外観を得ることができるようになる。また、インストルメントパネル２００の前方空間の利用が制限されることもない。更に、インストルメントパネル２００の面と前記パネル面（表示パネル１１の表示面または閉鎖パネル１２の表面）とを揃えるようにした場合であっても、パネルユニット１０がセット位置と回動位置との間で進退動する間その回動がなされず、パネルユニット１０が筐体１１０奥方の回動位置に達した状態でそのパネルユニット１０の回動がなされるようになるので、パネルユニット１０の周縁部とインストルメントパネル２００（外部パネル）との間の隙間をより小さくすることができる。
【００５０】
なお、前述した例では、パネルユニット１０の構成部品となる側面板を固定ガイド板２０としたが、固定ガイド板２０は、前記側面板と別体に設けることも可能である。ただし、前記側面板を固定ガイド板２０として利用する場合、固定ガイド板２０を別途設ける必要なく、構造を簡略することができる。
また、パネルユニット１０は、表示パネル１１と閉鎖パネル１２とをＬ字状に結合した構造となっているが、Ｌ字状でなく、それらが鋭角あるいは鈍角をもって結合するものであってもよい。更に、パネルユニット１０全体の形状を例えば直方体等の角柱体とし、その接合する２面を表示パネル１１の表示面（外装面）及び閉鎖パネル１２の面（外装面）とすることもできる。
【産業上の利用可能性】
【００５１】
以上、説明したように、本発明に係る回動パネル装置は、外部パネル内に設置した場合に、露出するパネルユニットの外装面の縁と前記外部パネルとの隙間を極力小さくすることができると共にその外部パネルの前方空間の利用を制限することのないという効果を有し、２つの外装面を有するパネルユニットを回動させて、筐体の開放面に露出するパネルユニットの外装面を切換えるようにした回動パネル装置として有用である。
【図面の簡単な説明】
【００５２】
【図１】車両のインストルメントパネル内に設置された本発明の実施の一形態に係る回動パネル装置において、パネルユニットの閉鎖パネルの表面（外装面）が露出した状態を示す図である。
【図２】車両のインストルメントパネル内に設置された本発明の実施の一形態に係る回動パネル装置において、パネルユニットが回動している状態を示す図である。
【図３】車両のインストルメントパネル内に設置された本発明の実施の一形態に係る回動パネル装置において、パネルユニットの表示パネルの表示面（外装面）が露出した状態を示す図である。
【図４】本発明の実施の一形態に係る回動パネル装置を前方から見た状態を示す斜視図である。
【図５】本発明の実施の一形態に係る回動パネル装置を後方から見た状態を示す斜視図である。
【図６】本発明の実施の一形態に係る回動パネル装置の内部を示す斜視図である。
【図７】筐体１１０を構成する側面板（固定ガイド板）、パネルユニットの軸部材及び各パネル支持ピン、可動ガイド板及び移動レバーを示す図である。
【図８】インストルメントパネル内に設置された回動パネル装置におけるパネルユニット、固定ガイド板（側面板）、可動ガイド板及び移動レバーの相対的な位置関係を示す平面図である。
【図９】インストルメントパネル内に設置された回動パネル装置におけるパネルユニット、固定ガイド板（側面板）、可動ガイド板及び移動レバーの相対的な位置関係を示す断面図である。
【図１０】インストルメントパネル内に設置された回動パネル装置におけるパネルユニット、固定ガイド板（側面板）、可動ガイド板及び移動レバーの相対的な位置関係を示す他の断面図である。
【図１１】インストルメントパネル内に設置された回動パネル装置におけるパネルユニット、固定ガイド板（側面板）、可動ガイド板及び移動レバーの相対的な位置関係を示す更に他の断面図である。
【図１２】パネルユニット、固定ガイド板（側面板）、可動ガイド板及び移動レバーの状態（その１）を示す図である。
【図１３】パネルユニット、固定ガイド板（側面板）、可動ガイド板及び移動レバーの状態（その２）を示す図である。
【図１４】パネルユニット、固定ガイド板（側面板）、可動ガイド板及び移動レバーの状態（その３）を示す図である。
【図１５】パネルユニット、固定ガイド板（側面板）、可動ガイド板及び移動レバーの状態（その４）を示す図である。
【図１６】パネルユニット、固定ガイド板（側面板）、可動ガイド板及び移動レバーの状態（その５）を示す図である。
【図１７】パネルユニット、固定ガイド板（側面板）、可動ガイド板及び移動レバーの状態（その６）を示す図である。
【図１８】パネルユニット、固定ガイド板（側面板）、可動ガイド板及び移動レバーの状態（その７）を示す図である。
【図１９】パネルユニット、固定ガイド板（側面板）、可動ガイド板及び移動レバーの状態（その８）を示す図である。
【図２０】パネルユニット、固定ガイド板（側面板）、可動ガイド板及び移動レバーの状態（その９）を示す図である。
【図２１】回動パネル装置においてパネルユニットが後退動する状態（その１）を示す斜視図である。
【図２２】回動パネル装置においてパネルユニットが後退動する状態（その２）を示す斜視図である。
【図２３】回動パネル装置においてパネルユニットが回転動する状態（その１）を示す斜視図である。
【図２４】回動パネル装置においてパネルユニットが回転動する状態（その２）を示す斜視図である。
【図２５】回動パネル装置においてパネルユニットが回転動する状態（その３）を示す斜視図である。
【図２６】回動パネル装置においてパネルユニットが進出動する状態（その１）を示す斜視図である。
【図２７】回動パネル装置においてパネルユニットが進出動する状態（その２）を示す斜視図である。
【符号の説明】
【００５３】
１０  パネルユニット
１１  表示パネル
１２  閉鎖パネル
１３  ブラケット板
１４  回動軸ピン
１５  第１パネル支持ピン
１６  第２パネル支持ピン
２０  固定ガイド板（側面板）
２１  第１ガイド溝
２１ａ  後退ガイド溝部
２１ｂ  回動ガイド溝部
２１ｃ  進出ガイド溝部
２２  第２ガイド溝
２２ａ  後退ガイド溝部
２２ｂ  回動ガイド溝部
２２ｃ  進出ガイド溝部
２３  ガイド溝
２４  固定支持ピン
２６、２７  可動ガイド板用支持ピン
３０  可動ガイド板
３１  パネル用第１ガイド溝
３１ａ  後退ガイド溝部
３１ｂ  進出ガイド溝部
３１ｃ  係止部
３２  パネル用第２ガイド溝
３２ａ  後退ガイド溝部
３２ｂ  進出ガイド溝部
３２ｃ  係止部
３３  レバー用ガイド溝
３３ａ  後退カム溝部
３３ｂ  回動ガイド溝部
３３ｃ  進出カム溝部
３４  弧状ギア
３５  中央穴
３６、３７  回動ガイド溝
４０  移動レバー
４１  軸孔
４２  ガイド溝
４３  レバー支持ピン
１００  回動パネル装置
１１０  筐体
１１２  カバー
１１３  開放面
１２０  伝達機構
１２１、１２３、１２５  ギア
１２４  シャフト
１３０  収納ボックス
【図１】
0004609888.tif 000002
【図２】
0004609888.tif 000003
【図３】
0004609888.tif 000004
【図４】
0004609888.tif 000005
【図５】
0004609888.tif 000006
【図６】
0004609888.tif 000007
【図７】
0004609888.tif 000008
【図８】
0004609888.tif 000009
【図９】
0004609888.tif 000010
【図１０】
0004609888.tif 000011
【図１１】
0004609888.tif 000012
【図１２】
0004609888.tif 000013
【図１３】
0004609888.tif 000014
【図１４】
0004609888.tif 000015
【図１５】
0004609888.tif 000016
【図１６】
0004609888.tif 000017
【図１７】
0004609888.tif 000018
【図１８】
0004609888.tif 000019
【図１９】
0004609888.tif 000020
【図２０】
0004609888.tif 000021
【図２１】
0004609888.tif 000022
【図２２】
0004609888.tif 000023
【図２３】
0004609888.tif 000024
【図２４】
0004609888.tif 000025
【図２５】
0004609888.tif 000026
【図２６】
0004609888.tif 000027
【図２７】
0004609888.tif 000028